(57)【要約】  ポンプモジュール（１０４）は、動力源（１２８）、複数のレーザダイオード（１２２）、制御装置（１３０）及び光結合光学系（１２４）を含む。前記レーザダイオードは、活性化状態及び非活性化状態を、各々有する。前記レーザダイオードは、活性化状態である場合、前記動力源から電流を受け、光（１３８）を出力し、前記非活性化状態である場合、前記動力源から電流を受けない。前記制御装置は、前記レーザダイオードの第一の部分集合が前記活性化状態にある、第一の出力モードから、前記レーザダイオードの第二の部分集合が前記非活性化状態にある、第二の出力モードにまで、出力モード設定（１８０）に応答して、前記複数のレーザダイオードを切り換える。前記光結合光学系は、活性化された前記レーザダイオードからの光を結合し、結合された前記光をポンプエネルギー（１０８）として出力するよう構成される。レーザシステム（１００）は、ポンプモジュール（１０４）及び利得媒体（１０２）を含む。前記ポンプモジュールは、８７４−８８１ｎｍの波長領域になる波長を有するポンプエネルギー（１０８）を出力するよう構成される。前記利得媒体は、前記ポンプエネルギーの経路にあり、前記ポンプエネルギーを吸収し、かつ、吸収したポンプエネルギーに応答して、レーザ光（１１２）を放つよう構成される。一実施形態において、制御装置（１３０）は、操作者からの出力モード設定（１８０）入力に応答して、第一の出力レベル及び第二の出力レベルの間で、前記ポンプエネルギーの出力レベルを切り替える。
2012502487.tif 000002
【特許請求の範囲】
【請求項１】
動力源；
活性化状態及び非活性化状態を各々有する複数のレーザダイオードであって、該レーザダイオードは、前記動力源から電流を受け、前記活性化状態である時に光を出力し、前記非活性化状態である時に前記動力源から電流を受けない、レーザダイオード；
出力モード設定に応答して、前記複数のレーザダイオードの第一の部分集団が前記活性化状態である、第一のポンプエネルギー出力モードから、前記複数のレーザダイオードの第二の部分集団が前記非活性化状態である第二のポンプエネルギー出力モードに、前記複数のレーザダイオードを切り替える、制御装置；及び
活性化された前記レーザダイオードからの光を結合し、ポンプエネルギーとして前記結合された光を出力するよう構成される、光結合光学系；
を含む、種々のポンプエネルギー出力を有する、レーザポンプモジュール。
【請求項２】
前記動力源は、電力源を含み；かつ、
前記制御装置は、前記出力モード設定に応答して、前記電力源から活性化された前記レーザダイオードへの電流フローを選択的に可能にし、前記電力源から非活性化された前記レーザダイオードへの電流フローを無効にする；
請求項１に記載のレーザポンプモジュール。
【請求項３】
前記ポンプエネルギーは８７４ｎｍ−８８１ｎｍの範囲内の波長を有する、請求項１に記載のレーザポンプモジュール。
【請求項４】
前記光結合光学系は；
各々が、前記レーザダイオードの一つからの光出力を伝達するよう構成される、複数の光学ファイバー；及び
前記複数の光ファイバーにより伝達される光を受信し、該伝達される光をポンプエネルギーに結合するよう構成される、結合器；
を含む、請求項１に記載のレーザポンプモジュール。
【請求項５】
前記光結合光学系は、前記複数のレーザダイオードからの光出力をポンプエネルギーに結合するよう構成される、均一化及び平行光学系を含む、請求項１に記載のレーザポンプモジュール。
【請求項６】
前記制御装置は、活性化された前記レーザダイオードへの電流を調節するよう構成される、請求項１に記載のレーザポンプモジュール。
【請求項７】
前記ポンプエネルギーの出力は、前記第一の出力モードにおいて５０−３００Ｗの範囲であり、前記第二の出力モードにおける場合５００−１０００Ｗの範囲である、請求項１に記載のレーザポンプモジュール。
【請求項８】
８７４ｎｍ−８８１ｎｍの波長領域の中の波長を有するポンプエネルギーを出力するよう構成されるレーザポンプモジュール；及び
前記ポンプエネルギーの経路にあり、前記ポンプエネルギーを吸収し、吸収した前記ポンプエネルギーに応答して、レーザ光を放つよう構成される、利得媒体；
を含む、レーザシステム。
【請求項９】
前記レーザポンプモジュールは、前記第一のポンプエネルギー出力レベル及び前記第二のポンプエネルギー出力レベルでの前記ポンプエネルギーを出力するよう構成され；かつ、
前記システムは、操作者からの出力モード設定入力に応答して、前記第一の出力レベル及び前記第二の出力レベルの間で、前記ポンプエネルギーの出力レベルを切り替える制御装置を含む；
請求項８に記載のレーザシステム。
【請求項１０】
前記利得媒体は、中にネオジム原子が分散されたイットリウム  アルミニウム−ガーネット（ＹＡＧ）結晶バーを含む、請求項９に記載のレーザシステム。
【請求項１１】
前記第一の前記出力レベル及び前記第二の前記出力レベルは、少なくとも５０Ｗで隔てられている、請求項９に記載のレーザシステム。
【請求項１２】
前記レーザポンプモジュールは；
活性化状態及び非活性化状態を各々有する複数のレーザダイオードであって、該レーザダイオードは、前記活性化状態である時に光を出力し、前記非活性化状態である時に光を出力しない、レーザダイオード；及び
前記レーザダイオードからの光を結合し、結合された前記光を前記ポンプエネルギーとして出力するよう構成される、光結合光学系；
を含み、
前記制御装置は、前記出力モード設定に応答して、前記活性化状態及び前記非活性化状態の一方に、前記複数のレーザダイオードの部分集団を選択的に設定する、
請求項９に記載のレーザシステム。
【請求項１３】
前記光結合光学系は；
各々が、前記レーザダイオードの一つからの光出力を伝達するよう構成される、複数の光学ファイバー；及び
前記複数の光ファイバーにより伝達される光を受信し、該伝達される光をポンプエネルギーに結合するよう構成される、結合器；
を含む、請求項１２に記載のレーザシステム。
【請求項１４】
前記光結合光学系は、活性化された前記複数のレーザダイオードからの光出力をポンプエネルギーに結合するよう構成される、均一化及び平行光学系を含む、
請求項１２に記載のレーザシステム。
【請求項１５】
前記レーザポンプモジュールは、
光を出力するよう構成される複数のレーザダイオード；及び
前記レーザダイオードからの光を結合し、結合された前記光を前記ポンプエネルギーとして出力するよう構成される光結合光学系；
を含み、
前記制御装置は、前記出力モード設定に応答して、前記第一のポンプエネルギー出力レベルと前記第二のポンプエネルギー出力レベルとの間で前記レーザポンプモジュールを切り替えるために、前記レーザダイオードに供給される電流を変化させる、
請求項９に記載のレーザシステム。
【請求項１６】
第一のポンプエネルギー出力レベル及び第二のポンプエネルギー出力レベルでポンプエネルギーを出力するよう構成されるレーザポンプモジュールを供する段階、その段階では、前記ポンプエネルギーの波長は、前記第一のポンプエネルギー出力レベル及び前記第二のポンプエネルギー出力レベルにおいて、８７４ｎｍ−８８１ｎｍの波長領域の中にある；
前記ポンプエネルギーの経路にある利得媒体を供する段階；
制御装置を供する段階；
前記第一のポンプエネルギー出力レベルで前記ポンプエネルギーを供する段階；
該ポンプエネルギーの吸収に応答して、第一のレーザ光出力レベルで、前記利得媒体からレーザ光を放出する第一放出段階；
操作者から出力モード設定を受信する段階；
前記制御装置を使用して、前記出力モード設定に応答して、前記第一のポンプエネルギー出力レベルから前記第二のポンプエネルギー出力レベルに、前記ポンプエネルギーの出力レベルを切り替える切り替え段階；及び
該ポンプエネルギーの吸収に応答して、第二のレーザ光出力レベルで、前記利得媒体からレーザ光を放出する第二放出段階；
を含む、方法。
【請求項１７】
前期利得媒体を供する段階は、中にネオジム原子が分散されたイットリウム  アルミニウム−ガーネット（ＹＡＧ）結晶バーを含む利得媒体を供する段階、を含む、請求項１６に記載の方法。
【請求項１８】
８７４ｎｍ−８８１ｎｍの波長領域内の、前記利得媒体の吸収係数は、９０％より大きい、請求項１７に記載の方法。
【請求項１９】
前記レーザポンプモジュールを供する段階は、複数のレーザダイオードを含むレーザポンプモジュールを供する段階を含み；かつ、
前記切り替え段階は、前記制御装置を使用して、前記レーザダイオードの部分集団を活性化する段階又は非活性化する段階を含む；請求項１６に記載の方法。
【請求項２０】
前記レーザダイオードを供する段階は、複数のレーザダイオードを含むレーザポンプモジュールを供する段階を含み；かつ、
前記切り替え段階は、前記制御装置を使用して、前記レーザダイオードへの電流を調節する段階を含む；請求項１６に記載の方法。
【発明の詳細な説明】
【技術分野】
【０００１】
本発明の実施様態は、切換可能な出力モードを有するレーザシステムに向けられる。他の実施様態は、切換可能な出力モードを有するレーザポンプモジュールを使用するレーザシステムを操作する方法に向けられる。
【背景技術】
【０００２】
高出力のレーザシステムは、科学、工業及び医療分野に至る広範囲な用途を有する。レーザシステムは、通常、ポンプモジュール、利得媒体及びレーザ共振器を含む。ポンプモジュールは、ポンプエネルギーを発生するレーザダイオード又はレーザバーを含む。利得媒体は、ポンプエネルギーを吸収し、吸収したエネルギーに応答してレーザ光を放つ。レーザ共振器は、高調波レーザ光を発生するよう機能する。
【０００３】
サイドポンプとして知られるように、利得媒体の側部から利得媒体に、ポンプエネルギーを付与しても良く、又は、エンドポンプとして知られるように、利得媒体の端部から付与しても良い。サイドポンプは、比較的非効率的である；その結果、ポンプエネルギーのレーザ出力への変換は、比較的高いポンプエネルギーにおいて低いものである。エンドポンプは、より効率的である。しかしながら、エンドポンプ型利得媒体においては、すぐに上限に達し、利得媒体の最初の数ミリメータ以内の小さい体積内でのポンプエネルギーの急速な吸収で、熱破壊が生じる。
【０００４】
利得媒体は、通常、特定の動作帯域の中にある、ある波長を有するポンプエネルギーを吸収するよう求められる。そのため、ポンプエネルギーの波長は、レーザシステムの適切な操作を保証するよう入念に制御しなければならない。
【０００５】
ポンプエネルギーの波長は、レーザダイオードの温度及びレーザダイオードに供される電流と共に変化する。そのような、ポンプエネルギーの波長の変化は、ポンプエネルギーが連続的な出力レベルで作用され、システムが定常状態温度に達するに十分な時間が許された場合に、迅速に制御することができる。しかしながら、レーザシステムのいくつかの用途においては、マルチプル出力の、レーザ出力モード及びその出力モード間で迅速に切り替える性能が要求される。全ての出力モードで、優れたポンプ吸収効率を維持しながらである。ポンプ電流を変えることによる、異なる出力モード間でのそのような迅速な切り替えによって、ポンプエネルギーのレージングエネルギーへの低い変換効率の原因となる、ポンプエネルギーの、利得媒体の動作帯域の外側への外れを招きうる。そして、このため、吸収しないポンプエネルギーにより、ポンプソースは潜在的に損傷され得る。
【発明の概要】
【０００６】
本発明の実施様態は、ポンプモジュール、レーザシステム及びポンプモジュール並びにレーザシステムを操作する方法に向けられる。前記ポンプモジュールの一実施様態は、複数の出力レベルでポンプエネルギーを出力するよう構成される。前記ポンプモジュールは、出力ソース、複数のレーザダイオード、制御装置及び光結合光学系（ｌｉｇｈｔ  ｃｏｍｂｉｎｉｎｇ  ｏｐｔｉｃｓ）を含む。前記レーザダイオードの各々は、活性化状態及び非活性化状態を有する。前記レーザダイオードは、前記活性化状態の時には、前記出力ソースから電流を受け、光を出力し、前記非活性化状態の時には、前記出力ソースから電流を受けない。前記制御装置は、前記レーザダイオードの第一の部分集合（ｓｕｂｓｅｔ）が前記活性化状態にある、第一の出力モードから、前記レーザダイオードの第二の部分集合が前記非活性化状態にある、第二の出力モードにまで、出力モード設定に応答して、前記複数のレーザダイオードを切り換える。前記光結合光学系は、活性化された前記レーザダイオードからの光を結合し、結合された前記光をポンプエネルギーとして出力するよう構成される。
【０００７】
前記レーザシステムの一実施様態は、ポンプモジュール及び利得媒体を含む。前記ポンプモジュールは、前述の第一及び第二の出力レベルにおいて、８７４〜８８１ｎｍの波長領域の中にある波長を有するポンプエネルギーを出力するよう構成される。前記利得媒体は、前記ポンプエネルギーの経路内にあり、前記ポンプエネルギーを吸収し、吸収した前記ポンプエネルギーに応答してレーザ光を発するよう構成される。一実施様態において、システムは制御装置を含み、前記ポンプモジュールは、前記第一の出力レベル及び前記第二の出力レベルにおいて前記ポンプエネルギーを出力するよう構成される。前記制御装置は、操作者からの出力モード設定入力に応答して、前記第一の出力レベル及び前記第二の出力レベルの間で前記ポンプエネルギーの出力レベルを切り換える。
【０００８】
その方法の１つにおいては、前記第一の出力レベル及び前記第二の出力レベルでポンプエネルギーを出力するよう構成される、レーザポンプモジュールが供される。一実施様態において、前記ポンプエネルギーの波長は、前記第一の出力レベル及び前記第二の出力レベルにおいて、８７４〜８８１ｎｍの波長領域の中にある。利得媒体は、前記ポンプエネルギーの経路内に供され、制御装置が供される。ポンプエネルギーは、前記第一の出力レベルで生み出される。レーザ光は、前記ポンプエネルギーの吸収に応答して、第一の出力レベルで、前記利得媒体から発せられる。出力モード設定は、操作者から受信する。前記ポンプエネルギーの出力レベルは、前記出力モード設定に応答して、前記制御装置を使用して、前記第一の出力レベルから前記第二の出力レベルまで切り換えられる。レーザ光は、前記ポンプエネルギーの吸収に応答して、第二の出力レベルで前記利得媒体から発せられる。
【図面の簡単な説明】
【０００９】
【図１】図１は、本発明の実施形態に従う、高出力レーザシステムを例示する。
【図２】図２は、本発明の実施形態に従う、ポンプモジュールの簡易ブロック図である。
【図３】図３は、本発明の実施形態に従う、ポンプモジュールの光学構成要素の簡易図である。
【図４】図４は、本発明の実施形態に従う、ポンプモジュールの光学構成要素の簡易図である。
【図５】図５は、ネオジム：ＹＡＧ利得媒体の、ポンプエネルギー波長に対する吸収係数を例示するチャートである。
【図６】図６は、ネオジム：ＹＡＧ利得媒体の、ポンプエネルギー波長に対する吸収係数を例示するチャートである。
【図７】図７は、本発明の実施形態に従う、活性化状態及び非活性化状態の間のポンプモジュールのダイオードを切り換えに関する、簡易回路図の例である。
【図８】図８は、本発明の実施形態に従う、レーザシステムで用いるポンプエネルギーを発生する方法を例示するフローチャートである。
【図９】図９は、本発明の実施形態に従う、複数の出力レベルを有するレーザ出力ビームを発生させる方法を例示するフローチャートである。
【発明を実施するための形態】
【００１０】
図１は、本発明の実施様態に従う、高出力レーザシステム１００を例示する。レーザシステム１００は、利得媒体１０２、ポンプモジュール１０４及びレーザ共振器１０６を含む。一実施形態において、利得媒体１０２は、ドープされた結晶ホストであり、利得媒体１０２の動作波長（すなわち、吸収スペクトル）領域内にある波長を有し、ポンプモジュール１０４により発生される、ポンプエネルギー１０８を吸収するよう構成される。一実施様態において、利得媒体１０２は、ポンプエネルギー１０８の波長にて透過される折りたたみミラー１１０を通じて伝えられる、ポンプエネルギー１０８によりエンドポンプされる（ｅｎｄ  ｐｕｍｐｅｄ）。利得媒体１０２は、ポンプエネルギー１０８を吸収し、それに応答して、レーザ光１１２を出力する。
【００１１】
利得媒体１０２は、例示する実施形態においては、ホストの側面に沿って水冷される。一実施形態において、利得媒体１０２は、利得媒体１０２の第一の端部上に接合された非ドープのエンドキャップ１１４及び利得媒体１０２の第二の端部上に接合された非ドープのエンドキャップ１１８を含む。一実施形態においては、端部１２０は、ポンプエネルギーの波長において反射するよう被覆されている。一方で、システム１００の共振モードにおいては透過する。この方法においては、第二の端部１２０で吸収されないポンプエネルギーは、吸収されるように、利得媒体１０２に戻る方に向け直される。
【００１２】
ポンプモジュール１０４は、利得媒体１０２の作動波長領域内のポンプエネルギー１０８を生み出す。レーザポンプモジュール１０４の一実施形態は、図２の簡易ブロック図で示すように、複数のレーザダイオード又はレーザバー１２２（以下、レーザダイオード）、光結合光学系１２４（ｌｉｇｈｔ  ｃｏｍｂｉｎｉｎｇ  ｏｐｔｉｃｓ）、温度制御システム１２６、電流又は動力源１２８、及び制御装置１３０を含む。複数のレーザダイオード１２２は、ポンプエネルギー１０８を生じさせるように作動する。ある実施形態において、レーザダイオード１２２は、多数の棒束状のレーザダイオード１２２のような配列で並べられる。
【００１３】
一実施形態において、制御装置１３０は、望ましい作動温度にレーザダイオード１２２を維持するよう、温度制御システム１２６を制御し、結果、ポンプエネルギー１０８は、ポンプエネルギー１０８が効率的に吸収される、利得媒体１０２の作動波長領域内にある。他の実施形態において、制御装置１３０は、レーザダイオード１２２への電流を制御するために、電流源１２８を制御する。
【００１４】
制御装置１３０の一実施形態は、１つ又はそれより多くの処理装置を含む。別の実施形態に関して、制御装置１３０は、様々な機能を実行するための、１つ又はそれより多くの処理装置により実行可能な指示を含むメモリ１３２を含む。例えば、ポンプエネルギー１０８の出力レベルを制御する電流又は動力源１２８からレーザダイオード１２２への電流を制御すること、及び所定のレベルのポンプエネルギー１０８が、利得媒体１０２の作動波長領域内にある、作動温度にレーザダイオード１２２の温度を維持するために、温度制御システム１２６を制御すること、のような機能である。
【００１５】
光結合光学系１２４は、レーザダイオード１２２からの光を結合し、結合された光をポンプエネルギー１０８として出力するよう構成される。光結合光学系１２４の実施形態は、コリメータレンズ、偏光マルチプレクサ（Ｐｏｌａｒｉｚａｔｉｏｎ  Ｍｕｌｔｉｐｌｅｘｅｒ）、輝度ダブラー（ｂｒｉｇｈｔｎｅｓｓ  ｄｏｕｂｌｅｒ）、ビーム形成光学系（ｂｅａｍ  ｓｈａｐｅ  ｏｐｔｉｃｓ）及び利得媒体１０２の第一の端部に近くにあり、ポンプエネルギー１０８の焦点を合わせる集束レンズ、及び／又は他の光学構成要素を含んでも良い。
【００１６】
図３及び図４は、本発明の実施形態に関するポンプモジュールの光学構成要素の簡易図である。一実施形態において、図３に示すように、光結合光学系１２４は、光結合及び均一化光学系１３４並びに視準及びビーム形成光学系１３６を含む。光結合及び均一化光学系１３４は、図３に示すように、複数のレーザダイオード又はダイオードバー１２２（各々Ｄ１、Ｄ２、Ｄ３・・・Ｄｎに分類される）からの光出力１３８を結合する。光結合及び均一化光学系１３４からの出力１４０は、視準及びビーム形成光学系１３６に供され、結合かつ均一化された出力１４０を、利得媒体１０２に向かうポンプエネルギー１０８に変換される。
【００１７】
他の実施形態に関して、光結合光学系１２４は、図４で説明されるように、複数の光ファイバー１４２及び結合器１４４を含む。複数の光ファイバー１４２の各々は、レーザダイオード１２２の１つからの光１３８出力を伝えるよう構成される。結合器１４４は、複数の光ファイバー１４２により伝えられるレーザダイオード１２２からの光１４６を受信し、伝えられた光１４６を、利得媒体１０２に向けられる、ポンプエネルギー１０８に結合するよう構成される。ポンプエネルギー１０８を形成し、焦点を合わせるために必要なビーム形成光学系及び他の構成要素は、従来の技術に従って使用される。
【００１８】
レーザ共振器１０６は、利得媒体１０２のレーザ光１１２出力の高調波（ｈａｒｍｏｎｉｃ）を発生するよう構成される。一実施形態において、レーザ共振器１０６は、ホウ酸リチウム（ＬＢＯ）結晶又はチタン酸リン酸カリウム結晶（ＫＴＰ）のような、非線形結晶（ＮＬＣ）１５０を含み、利得媒体１０２により発せられるレーザビーム１１２の２次高調波を発生する。
【００１９】
一実施形態において、利得媒体１０２は、Ｎｄ：ＹＡＧ利得媒体１０２を形成するためにＹＡＧロッド中に分散されたネオジム原子を有する、イットリウム  アルミニウム−ガーネット  結晶（ＹＡＧ）ロッドを含む。Ｎｄ：ＹＡＧ利得媒体１０２は、ポンプ光を、１０６４ｎｍの主波長を有するレーザ光１１２に変換する。レーザ共振器１０６は、５３２ｎｍの波長を有する、１０６４ｎｍのレーザ光１６４の２次高調波を発生する。５３２ｎｍの波長の１つの利点は、血中のヘモグロビンにより強く吸収されるので、それ故、血管組織を切断、蒸散及び凝固する医療処置において、役に立つ。
【００２０】
一実施形態において、レーザ共振器１０６は、２次高調波レーザビームの変換効率を増加するために、レーザビーム１１２を高い最大出力を有する一連の短パルスに変えるよう機能する、Ｑスイッチ１５２（Ｑ−ｓｗｉｔｃｈ）を含む。
【００２１】
レーザ共振器１０６は、反射鏡１５６、１５８及び１６２、折り畳み鏡１１０並びに出力結合器１６０も含む。鏡１１０、１５６、１５８及び１６２並びに出力結合器１６０は、主波長（例えば、１０６４ｎｍ）において高反射性である。出力結合器１６０は、２次高調波出力波長（例えば、５３２ｎｍ）において高透過性である。共振器１０６の中の主波長レーザビーム（例えば、１０６４ｎｍ）は、鏡１５８及び１６２の間の道筋に沿って、行ったり来たりして跳ね返り、利得媒体１０２及び非線形結晶１５０を通り、出力結合器１６０を通じて出力レーザ１６４として発射される、２次高調波出力波長（例えば５３２ｎｍ）ビームへと、周波数が２倍にされる。Ｚ型共振空洞は、非線形結晶１５０での利得媒体１０２の一の端部において、共振モードを描く、Ｋｕｉｚｅｎｇａによる米国特許Ｎｏ．５，０２５，４４６で議論されるように、構成することができる。述べられている構成は、周波数変換に関して、安定かつ高効率である。Ｎｄ：ＹＡＧ利得媒体１０２及びＬＢＯ非線形結晶１５０を使用する、図１に示される構成は、前述の通り、５３２ｎｍの波長を有する、周波数変換出力レーザ１６４を生み出す。
【００２２】
一実施形態において、制御装置１３０を使用してポンプモジュール１０４からのポンプエネルギー１０８出力の出力レベルを調節することにより、レーザシステム１００は、出力レーザ１１２に関して多数の出力レベルを含み、そのことが多数の出力レベルの出力レーザ１６４を生み出す。一実施形態において、出力レーザビーム１６４の出力レベルは、例えば、１０Ｗ−２００Ｗのように、広範囲にわたって広がる。一実施形態において、ポンプモジュール１０４は、下記により詳細に述べられるように、２つ又はより多くの出力レベルの間で素早く切り替わるように構成される。
【００２３】
レーザダイオード１２２に対する電流の変化によるポンプモジュール１０４の出力変化は、作動温度（即ち、接合部温度）を変え、今度はポンプエネルギー１０８の波長の変化を引き起こす。利得媒体１０２の作動波長領域が狭い（例えば、１−２ｎｍ）場合、そのようなポンプモジュールの出力変化により、ポンプエネルギー１０８波長が利得媒体１０２の作動波長領域の外側に移り得る。そのような状況においては、温度制御システム１２６が、ポンプエネルギー波長が利得媒体１０２の作動波長の中に収まる作動温度に、レーザダイオード１２２を戻すまで、システム１００の望ましいレーザ出力１６４は、先延ばしにされる。
【００２４】
一実施形態において、利得媒体１０２の作動波長領域は、ポンプエネルギー１０８の出力領域にわたる、そのような波長シフトに対して寛容（ｔｏｌｅｒａｎｔ）であるよう選択される。即ち、利得媒体１０２は、ポンプモジュール１０４の望ましい出力レベル変化の間、ポンプエネルギー１０８出力の波長に高吸収効率を維持するよう構成される。これにより、利得媒体１０２は、下記で述べられているように、速い（例えば、一秒より少なく）ポンプエネルギー１０８出力変化の間、ポンプエネルギー１０８のレージング光１１２への高変換効率を維持できる。
【００２５】
利得媒体１０２がポンプエネルギー１０８をレーザ光１１２に変換する効率は、ポンプエネルギー１０８の波長における、利得媒体１０２の吸収効率に依存する。利得媒体１０２がポンプエネルギー１０８を吸収する吸収効率は、波長で変化し、かつ、ドーパント（例えば、ネオジム原子）、ドーピング濃度及び利得媒体１０２の長さに依存する。
【００２６】
図５は、Ｎｄ：ＹＡＧ利得媒体に関する波長の実用的な領域にわたる、ポンプエネルギー波長（ｘ軸）に対する利得媒体１０２の吸収係数（ｃｍ−１）（ｙ軸）を示す。吸収係数は、ポンプエネルギー波長の領域にわたる上がり下がりを含む。１つの従来の実施は、コストを削減し、小型の共振器設計を有するようにより短い利得媒体１０２によりポンプ光１０８の吸収効率を最大化するよう、８０８ｎｍ又は８８５ｎｍでのように、吸収係数曲線のピークの１つで、狭い作動波長域の１つを利用することである。しかしながら、熱変形問題に加え、そのような狭い作動波長領域は、例えば、ポンプ電流を変えることによるポンプエネルギー１０８の出力変化により引き起こされるポンプエネルギー１０８の波長シフトに対して寛容でない（ｉｎｔｏｒｅｌａｎｔ）。
【００２７】
Ｎｄ：ＹＡＧ利得媒体１０２に関する１０６４ｎｍのように、利得媒体１０２の高調波により近い、利得媒体１０２に関する作動波長領域を選択することも望ましい。より近くすることで、高調波に対して、ポンプエネルギー１０８のレーザに対する、より効率的な変換になる。しかしながら、利得媒体１０２に関する作動波長領域の選択は、利用できるレーザダイオード１２２の性能や、レーザダイオード１２２のコストに制限される。
【００２８】
図６は、波長領域８７５−８９５ｎｍにわたる、ポンプエネルギー波長に対するＮｄ：ＹＡＧ利得媒体１０２の吸収係数を示す。一実施形態において、ポンプモジュール１０４は、およそ８７９ｎｍの波長でのポンプエネルギー１０８を出力するよう構成され、利得媒体１０２は、８７９ｎｍの波長をカバーする作動波長領域を有するよう構成される。８７９ｎｍの波長は、実質的に８８５ｎｍでのオフピークであり、利得媒体１０２の８７９ｎｍでの吸収係数は、８８５ｎｍ近くでの吸収係数の約２５％より、おおよそ少ない。
【００２９】
一実施形態において、利得媒体１０２は、ポンプエネルギーレベルの広範囲を超えるよう期待される、ポンプエネルギー波長の領域に及ぶ、作動波長領域１７０を有するよう構成される。そのような作動波長領域は、望ましい出力レベルでの出力レーザ１６４を生み出すレーザシステム１００の性能上、ポンプエネルギー波長シフトの効果を排除する。作動波長領域１７０の実施形態では、プラス又はマイナス１．５ｎｍ（１７２）、２ｎｍ（１７４）及びそれより多くの、ポンプエネルギー１０８波長でのシフトをカバーする領域を含む。例示する一実施形態では、利得媒体１０２は、図５に示すように、８７４ｎｍ−８８１ｎｍの作動波長領域１７０を有するよう構成される。
【００３０】
利得媒体１０２のドープ濃度及び長さは、作動波長領域１７０にわたって、望ましい出力を有するよう構成される。一実施形態において、利得媒体１０２は、エンドポンプ式の利得媒体１０２を通る２経路の中で、ポンプエネルギー１０８の９０％より多く、好ましくはポンプエネルギー１０８の９４％より多くを吸収するよう構成される。
【００３１】
一実施形態において、ドープレベルは比較的低く、利得媒体１０２の光軸に沿って、熱負荷を広げることができ、従って、利得媒体１０２の入力端１１６（図１）で誘発される熱ストレスを減少する。一実施形態において、Ｎｄ：ＹＡＧ利得媒体１０２のドープ濃度は、およそ０．６％から０．９％の範囲内である。一実施形態において、利得媒体１０２は、およそ第一の端部１１６と第二の端部１２０との間はおよそ１００ｍｍの長さであり、およそ４．５ｍｍの直径を有する。
【００３２】
利得媒体１０２に関する長さ、ドープ濃度及びポンプエネルギー波長を含む、パラメータの適切な組み合わせを確立することにより、５３２ｎｍでの周波数変換出力１６４の、１２０Ｗよりも大きいこと１０Ｗの出力が、適切に高品質ビームで、およそ１００ｍｍの長さで直径およそ４，５ｍｍのＮｄ：ＹＡＧロッドを使用して、容易に発生される。その技術は、レーザに関して、主波長及び高調波波長における、さらに高い出力ビーム出力の、キロワット領域でのポンプエネルギー１０８を支持する構成に対しても拡張可能である。
【００３３】
上述したように、レーザシステム１００の実施形態は、ポンプエネルギー１０８の出力レベルに応答して、レーザ１１２及び、それによる、レーザ１６４の出力を変えるよう構成される。一実施形態において、ポンプエネルギー１０８の出力は、第一及び第二の出力レベルの間で素早く切り替えられる。一実施形態において、第一及び第二の出力レベルお間の差は、５−１０Ｗである。
【００３４】
一実施形態において、ポンプエネルギー１０８の出力は、低出力一次高調波レーザ１１２及び低出力二次高調波レーザ１６４を生み出す、低出力及び高出力一次高調波レーザ１１２及び高出力二次高調波レーザ１６４を生み出す、高出力の間で、素早く切り替えられる。例えば、低出力モードは、患者での凝固処置を実行することに使用しても良く、高出力モードは、患者への組織蒸散処置を実行するために使用しても良い。
【００３５】
一実施形態においては、より低い出力レーザビームとより高い出力レーザビームを区切るに少なくとも５０Ｗである。より低い出力レーザビーム１６４の一実施形態は、１０−５０Ｗの範囲内であり、好ましくは、１０−３０Ｗの範囲内である。対応する低出力ポンプエネルギー１０８は、利得媒体１０２の構成に依存し、５０−３００Ｗの範囲内である。高出力レーザビーム１６４の一実施形態は、９０−１５０Ｗの範囲内であるが、好ましくは１００−１２０Ｗの範囲内である。対応する高出力ポンプエネルギー１０８は、利得媒体１０２の構成に依存し、５００−１０００Ｗの範囲内である。
【００３６】
一実施形態において、低出力ポンプエネルギー１０８及び高出力ポンプエネルギー１０８との間の出力遷移は、非常に素早く起こる。一実施形態において、出力遷移は、例えば、０．６秒のような、一秒より短く起こる。
【００３７】
一実施形態において、出力遷移は、上述したように、適切な入力装置を通して、システム１００の操作者から受信した作動入力１８２に対応する、出力モード設定１８０（図２）に応答して起こる。例示する入力装置は、コンピュータ入力装置（例えば、マウス、キーボード、等）、スィッチ（例えば、足操作可能スィッチ）又は他の適切な入力装置を含む。制御装置１３０は、出力モード設定１８０を受信し、出力モード設定１８０に応答してレーザダイオード１２２により生み出される、ポンプエネルギー１０８の出力を調節する。
【００３８】
一実施形態において、複数の出力レベルは、制御装置１３０を使用して、電流源１２８からレーザダイオード１２２への電流の大きさを調節することにより得られる。電流は、ポンプエネルギー１０８の望ましい出力レベルを供するよう選択される。ポンプエネルギー１０８の出力レベルを制御するこの方法の１つのデメリットは、レーザダイオード１２２の接合部温度の変化によるポンプエネルギー１０８の波長シフトの可能性である。結果として、この方法は、ポンプエネルギー１０８への素早い出力変化が望ましい特定の場合に、利得媒体１０２に関する広い作動波長領域１７０を必要とし得る。
【００３９】
他の実施形態に従い、複数のレーザダイオード１２２の各々は、活性化状態及び非活性化状態を有する。一般的に、レーザダイオード１２２は、活性化状態での場合に、電流源１２８から作動電流を受信し、非活性化状態での場合に、電流源１２８から作動電流を受信しない。作動電流（以後、電流）は、レーザダイオード１２２に、出力レーザ１１２発生を目的として十分に使用可能な量のポンプエネルギーを生み出させるに、十分な大きさ及び／又は負荷サイクル（例えば２０Ｈｚ）を有する電流である。従って、レーザダイオード１２２は、活性化状態での場合にポンプエネルギー１０８を出力し、非活性化状態での場合にポンプエネルギー１０８を出力しない。
【００４０】
一実施形態において、ポンプエネルギー１０８の出力レベル及びそれに対応するポンプモジュール１０４の出力レベルモードは、制御装置１３０を使用して、活性化状態及び非活性化状態にあるレーザダイオード１２２の数を調節することにより、変更される。一実施形態において、活性化されたレーザダイオード１２２に供給される電流は、一定である。結果として、ポンプエネルギー１０８の出力レベルは、活性化状態にあるレーザダイオード１２２の部分集団（ｓｕｂｓｅｔ）により決定される。例えば、ポンプエネルギー１０８の出力レベルは、レーザダイオード１２２の全てが活性化状態にセットされる場合に最大にセットすることができ、レーザダイオード１２２の全てが非活性化状態にセットされる場合、ポンプエネルギー１０８は出力されない。
【００４１】
最大及び最小出力レベルの間での出力レベルモードは、レーザダイオード１２２の種々の部分集団を活性化することにより得られる。例えば、レーザダイオード１２２は、比較的低出力（例えば３０Ｗ）レーザ１１２及びレーザ１６４の発生のための低出力（例えば、１００Ｗ）ポンプエネルギー１０８を生み出すよう、ダイオード又はダイオードバーＤ１及びＤ２のような、活性化状態（第一の出力レベルモード）にある少数のレーザダイオード１２２を設置することにより、低出力レーザ１１２及びレーザ１６４を発生させるための、低出力ポンプエネルギー１０８を生み出すことができる。同様に、制御装置１３０は、複数のレーザダイオード１２２のより大きい部分集団、レーザダイオード１２２の全てを含む（第二の出力レベルモード）、を活性化し、高出力（例えば、１００Ｗより高く）出力レーザ１１２及びレーザ１６４を生み出すために、より高出力（例えば５００−１０００Ｗ）ポンプエネルギー１０８を供することができる。
【００４２】
ポンプモジュール１０４のこの実施形態の一つの重要な利点は、レーザダイオード１２２の全集合が活性化状態に維持され、レーザダイオード１２２の全てへの電流が望ましいポンプエネルギー１０８出力レベルを生み出すよう調節される場合に、ポンプエネルギー１０８に対する素早い出力調節の間、可能であるより、より狭い範囲内のポンプエネルギー１０８の波長を維持することができることである。これは、電流源１２８を使用して、各々の活性化状態のレーザダイオードへ、一定レベルの電流を維持できることによる。
【００４３】
レーザダイオード１２２への電流が実質的に一定のままであるものの、レーザダイオード１２２の活性化及び非活性化は、ポンプエネルギー１０８に対する粗（ｃｏａｒｓｅ）出力調節を供する。これにより、単一のレーザダイオード１２２からの出力に等しい、最小出力調節を供することができる。例えば、もし、レーザダイオード１２２が各々１０Ｗのダイオードであるなら、単一のレーザダイオード１２２を活性化又は非活性化することにより、１０Ｗの粗出力調節が可能である。一実施形態において、例えば、制御装置１３０（図２）を使用して電流源１２８からの電流出力を調節することのような、活性化したレーザダイオード１２２への電流を調節することにより、細かい出力調節が、ポンプエネルギー１０８になされる。この方法では、５Ｗより小さい調節のような、単一のレーザダイオード１２２からの出力より小さい出力調節を、なすことができる。結果として、ポンプモジュール１０４の一実施形態は、レーザダイオード１２２活性化又は非活性化を通じて及び活性化したレーザダイオード１２２への電流の調節を通じて、ポンプエネルギー１０８の、ほぼ連続した出力調節を供することができる。
【００４４】
図７は、活性化及び非活性化状態の間でレーザダイオード１２２を切り替えるために使用できる、例となる技術を説明する、簡易回路図である。例示した回路図で描かれているのは、レーザダイオード又はダイオードバー１２２、電流源１２８及び、制御装置の一構成部品である、処理装置１８６である。一実施形態において、処理装置１８６は、出力モード設定１８０又は、出力モード設定１８０に基づき得る、他の指示を受信する。処理装置１８６は、出力モード設定１８０に基づき、活性化状態にあるダイオード１２２の数を調節する。
【００４５】
図７で例示した回路図において、個々のダイオード１２２は、例えば、ＭＯＳＦＥＴ又は他のトランジスタのような、スィッチ１８８の適切な設定を通じて、ＭＯＳＦＥＴのゲートに接続される処理装置１８６からの対応する配線１９０上の信号に応答して、活性化又は非活性化される。例えば、配線１９０が、“高い”電圧レベルに引かれる（ｐｕｌｌｅｄ）場合、電流は、ダイオード１２２を通る電流を克服しなければならない順電圧降下により、対応するダイオード１２２を回避する、経路１９２に沿って電流源１２８から伝わる。その結果、電流は、ダイオード１２２を通ることができず、ダイオードは、それ故、非活性化状態になる。個々のダイオード１２２は、処理装置１８６を使用して、経路１９２を通る電流の流れを妨げる、“低い”電圧レベルに配線１９０を引くことにより、活性化状態で設置される。電流源１２８からの電流は、対応するダイオード１２２を通じて送られ、そのダイオードを活性化状態にセットし（ｐｌａｃｅ）、そして、そのダイオードは光１３８を生み出す。従って、処理装置１８６（即ち、制御装置１３０）は、配線１９０上の電圧の制御を通じて、個々のレーザダイオード１２２を活性化又は非活性化状態にセットすることができる。
【００４６】
その結果、様々な出力レベルを、活性化状態にセットされるレーザダイオード１２２の選択された部分集団に基づいて、容易に達成することができる。例えば、レーザダイオード１２２が２５Ｗのダイオードの場合、５００Ｗのポンプエネルギーレベルを、活性化状態にある２０のレーザダイオード１２２をセットすることにより達成することができる。より高い及びより低い出力ポンプエネルギー１０８は、制御装置１３０を使用して、利用できるレーザダイオード１２２のより大きい又はより小さい部分集団の活性化を通じて、達成される。
【００４７】
本発明の他の実施形態は、図８で説明されるフローチャートの、多数の出力レベルでレーザシステム１００の使用に関して、ポンプエネルギー１０８を発生させる方法に向けられる。一実施形態において、ポンプモジュール１０４は、図１−４及び７を参照して上述された適切な実施形態に従って形成されるポンプモジュール１０３のように、２００で供される。一実施形態において、供されるポンプモジュール１０４は、電流源１２８、複数のレーザダイオード又はダイオードバー１２２、光結合光学系１２４及び制御装置１３０を含む。２０２において、制御装置１３０は、図７のダイオード２０４及び２０６のように、レーザダイオード１２２の第一の部分集団を、それらが電流源から電流を受け、光１３８を生み出す、活性化状態にセットする。結合される、ダイオード２０４及び２０６からの光１３８は、第一の出力レベルでの出力レーザ１１２及びレーザ１６４を発生させるために、光結合光学系により、第一の出力レベルにおけるポンプエネルギー１０８として出力する。一実施形態において、制御装置１３０は、操作者からのような、第一の出力モードを示す出力モード設定１８０を受信し、出力モード設定１８０に応答して、レーザダイオード１２２の第一の部分集団を活性化する。
【００４８】
２０８において、上述される実施形態に従う出力モード設定１８０が、第二の出力モードに示すよう受信される。２１０において、制御装置１３０は、レーザダイオード１２２を第二の出力モードにセットするために、出力モード設定１８０に応答してレーザダイオード１２２の第二の部分集団を活性化する。活性化されたレーザダイオード１２２からの光１３８出力は、結合され、第二の出力レベルでのレーザ１１２及び１６４を発生させるために、光結合光学系１２４を使用して、第二の出力レベルでのポンプエネルギー１０８として出力する。
【００４９】
一実施形態において、第一の出力レベルは、第二の出力レベルより小さい。従って、レーザダイオード１２２の第一の部分集団は、第二の部分集団よりも少ないレーザダイオード１２２を含む。他の実施形態において、第一の出力レベルは第二の出力レベルより大きい。結果として、第一の部分集団は第二の部分集団より大きい。
【００５０】
要約すれば、実施形態は：
複数のレーザダイオード１２２、電流源、光結合光学系１２４及び制御装置１３０を含むポンプモジュール１０４を供すること；
前記制御装置１３０を使用して、前記レーザダイオード１２２の第一の部分集団を活性化すること（第一の出力モード）；
活性化された前記レーザダイオード１２２の第一の部分集団により発生される光を結合し、前記光結合光学系１２４を使用して第一の出力レベルでポンプエネルギー１０８を出力すること；
出力モード設定１８０を受信すること；
前記制御装置１３０を使用して前記レーザダイオードの第二の部分集団を活性化することを含む、前記出力モード設定１８０に応答して、前記出力レベルを第二の出力レベルに切り替えること；及び
活性化された前記レーザダイオードの第二の部分集団により発生される光１３８を結合し、前記光結合光学系１２４を使用して第二の出力レベルでポンプエネルギー１０８を出力すること；
を含む、多数の出力レベルを有するレーザシステム１００の使用に関して、ポンプエネルギー１０８を発生させる方法を含む。
【００５１】
他の実施形態は、図９で説明されるフローチャートの、多数の出力レベルを有するレーザ出力ビームを発生させる方法に向けられる。その方法で使用される構成要素の各々は、上述される適用可能な実施形態の如何なる一つに従って、形成される。２１０では、レーザポンプモジュール１０４は、第一の及び第二の出力レベルでポンプエネルギー１０８、を出力するよう構成されると定められる。そこでは、ポンプエネルギー１０８の波長は、前記第一の出力レベル及び前記前記第二の出力レベルにおいて、８７４−８８１ｎｍの範囲内である。利得媒体１０２は、ポンプエネルギー１０８の経路内（図１）に供され、制御装置１３０は、２１２及び２１４で供される。２１５では、ポンプエネルギー１０８は、ポンプモジュール１０４を使用して、前記第一の出力レベルで生み出される。２１６では、出力レーザ１１２は、ポンプエネルギー１０８の吸収に応答して、第一の出力レベルで、利得媒体１０２から放たれる。出力モード設定１８０は、２１０で、操作者から受信される。２２０では、ポンプエネルギー１０８の出力レベルは、制御装置１３０を使用して、前記出力モード設定１８０に応答して、前記第一の出力レベルから第二の出力レベルに切り替えられる。２２２では、レーザ光１１２は、前記ポンプエネルギー１０８に応答して、第二の出力レベルで、前記利得媒体１０２から放たれる。前記第一の出力レベル及び前記第二の出力レベルのレーザ光１１２は、各々、前記第一の出力レベル及び前記第二の出力レベルで、出力レーザ光１６４を生み出すよう使用することができる。
【００５２】
本発明は、好ましい実施形態を参照することにより述べられてきたが、当業者は、本発明の趣旨及び範囲から逸脱することなく、形態及び細部に変更を加えることができることを認識するであろう。
【図１】
2012502487.tif 000003
【図２】
2012502487.tif 000004
【図３】
2012502487.tif 000005
【図４】
2012502487.tif 000006
【図５】
2012502487.tif 000007
【図６】
2012502487.tif 000008
【図７】
2012502487.tif 000009
【図８】
2012502487.tif 000010
【図９】
2012502487.tif 000011
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
複数のレーザダイオードを含むレーザポンプモジュールであって、該レーザモジュールは、前記レーザダイオードの第一の部分集団が活性化される第一のポンプエネルギー出力レベルと、前記レーザダイオードの第二の部分集団が活性化される第二のポンプエネルギー出力レベルとでポンプエネルギーを出力するよう構成され、前記第一のポンプエネルギー出力レベルと前記第二のポンプエネルギー出力レベルとは相違する、レーザポンプモジュールを供する段階；
前記ポンプエネルギーの経路にある利得媒体を供する段階；
制御装置を供する段階；
前記第一のポンプエネルギー出力レベルでポンプエネルギーを生み出す段階；
該ポンプエネルギーの吸収に応答して、第一のレーザ光出力レベルで前記利得媒体からレーザ光を放出する第一放出段階；
操作者から出力モード設定を受信する段階；
制御装置を使用して、前記出力モード設定に応答して、前記第一のポンプエネルギー出力レベルから前記第二のポンプエネルギー出力レベルに、ポンプエネルギーの出力レベルを切り替える切り替え段階；及び
該ポンプエネルギーの吸収に応答して、第二のレーザ光出力レベルで前記利得媒体からレーザ光を放出する第二放出段階；
を含む、方法。
【請求項２】
前記利得媒体を供する段階は、中にネオジム原子が分散されたイットリウム  アルミニウム−ガーネット（ＹＡＧ）結晶ロッドを含む利得媒体を供する段階を含む、請求項１に記載の方法。
【請求項３】
前記ポンプエネルギーの波長は、８７４ｎｍ−８８１ｎｍの波長領域の中にあり；
８７４ｎｍ−８８１ｎｍの波長領域内の、前記利得媒体の吸収係数は、９０％より大きい；
請求項２に記載の方法。
【請求項４】
前記切り替え段階は、前記制御装置を使用して、前記レーザダイオードの部分集団を活性化する段階又は非活性化する段階を含む、請求項１に記載の方法。
【請求項５】
前記切り替え段階は、１秒以内に達成される、請求項１に記載の方法。
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
複数のレーザダイオードを含むレーザポンプモジュールであって、該レーザポンプモジュールは、前記レーザダイオードの第一の部分集団が活性化される第一のポンプエネルギー出力レベルと、前記レーザダイオードの第二の部分集団が活性化される第二のポンプエネルギー出力レベルとでポンプエネルギーを出力するよう構成され、前記第一のポンプエネルギー出力レベルと前記第二のポンプエネルギー出力レベルとは相違する、レーザポンプモジュールを供する段階；
前記ポンプエネルギーの経路にある利得媒体を供する段階；
制御装置を供する段階；
前記第一のポンプエネルギー出力レベルでポンプエネルギーを生み出す段階；
該ポンプエネルギーの吸収に応答して、第一のレーザ光出力レベルで前記利得媒体からレーザ光を放出する第一放出段階；
制御装置を使用して、前記第一のポンプエネルギー出力レベルから前記第二のポンプエネルギー出力レベルに、ポンプエネルギーの出力レベルを切り替える切り替え段階；及び
該ポンプエネルギーの吸収に応答して、第二のレーザ光出力レベルで前記利得媒体からレーザ光を放出する第二放出段階；
を含む、方法。
【請求項２】
前記利得媒体を供する段階は、中にネオジム原子が分散されたイットリウム  アルミニウム−ガーネット（ＹＡＧ）結晶ロッドを含む利得媒体を供する段階を含む、請求項１に記載の方法。
【請求項３】
前記ポンプエネルギーの波長は、８７４ｎｍ−８８１ｎｍの波長領域の中にあり；
８７４ｎｍ−８８１ｎｍの波長領域内の、前記利得媒体の吸収係数は、９０％より大きい；
請求項２に記載の方法。
【請求項４】
前記切り換え段階は、前記制御装置を使用して、前記レーザダイオードの部分集団を活性化する段階又は非活性化する段階を含む、請求項１に記載の方法。
【請求項５】
前記切り換え段階は、１秒以内に達成される、請求項１に記載の方法。
【国際調査報告】
2012502487.tif 000012
2012502487.tif 000013
2012502487.tif 000014